【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
患者の生理的パラメータを測定するためのシステムであって、
前記患者の検査身体場所から生理的測定値を取得するように作動可能な携帯測定システムと、
前記携帯測定システムの外部にあり、前記携帯測定システムと無関係に移動可能であり、前記検査身体場所に向けられて可視光を取り込むように作動可能な外部カメラと、
トリガ指示を受信し、かつ該トリガ指示に応答して、前記外部カメラによって取り込まれて前記検査身体場所に隣接する前記携帯測定システムの少なくとも一部を含む位置決め画像を前記生理的測定値に関連付けるように作動可能な同期モジュールと、
前記生理的測定値と前記位置決め画像を取得し、かつ
前記生理的測定値に基づく生理的測定記録、
前記位置決め画像に基づくものであり、前記検査身体場所に隣接する前記携帯測定システムの少なくとも一部を含む方位画像、及び
前記方位画像と前記生理的測定記録とを関連付ける関連付けデータ、
を遠隔システムに送信するように作動可能な通信モジュールと、
を含むことを特徴とするシステム。
【請求項２】
前記同期モジュールは、前記携帯測定システムによる前記生理的測定値の前記測定をトリガするように、かつ前記位置決め画像の作成を制御するように作動可能であることを特徴とする請求項１に記載のシステム。
【請求項３】
前記生理的測定値は、測定場所の情報をその医学的解釈が必要とする場所感受性生理的測定値であることを特徴とする請求項１に記載のシステム。
【請求項４】
前記携帯測定システムは、前記患者の身体の体内音を含む前記生理的測定値を取得するように作動可能なマイクロフォンを含むことを特徴とする請求項１に記載のシステム。
【請求項５】
前記携帯測定システムは、前記患者の身体から反射された超音波を含む前記生理的測定値を取得するように作動可能である超音波変換器を含むことを特徴とする請求項１に記載のシステム。
【請求項６】
前記携帯測定システムは、少なくとも１つの血流パラメータを示す前記生理的測定値を取得するように作動可能な血流センサを含むことを特徴とする請求項１に記載のシステム。
【請求項７】
前記同期モジュールは、前記携帯測定システムに統合されることを特徴とする請求項１に記載のシステム。
【請求項８】
少なくとも１つの予め決められた対話判断基準を満たすユーザインタフェースとの人間対話の識別時に対話指示を前記同期モジュールに送信するように作動可能であるユーザインタフェースを更に含み、
前記同期モジュールは、前記対話指示に応答して前記携帯測定システムによる前記生理的測定値の前記測定をトリガするように作動可能である、
ことを特徴とする請求項１に記載のシステム。
【請求項９】
測定のための身体場所を示す位置決め命令をユーザに表示するように作動可能なモニタを更に含むことを特徴とする請求項１に記載のシステム。
【請求項１０】
前記携帯測定システムは、前記患者の複数の検査身体場所から生理的測定値を取得するように作動可能であり、
前記同期モジュールは、前記複数の生理的測定値からの各生理的測定値を前記外部カメラによって取り込まれた対応する位置決め画像に関連付けるように作動可能であり、
前記通信モジュールは、前記複数の測定値からの各生理的測定値に対応する生理的測定記録と、前記位置決め画像に基づく複数の方位画像と、各方位画像と該対応する生理的測定記録とを関連付ける関連付けデータとを前記遠隔システムに送信するように作動可能である、
ことを特徴とする請求項１に記載のシステム。
【請求項１１】
前記同期モジュールは、連続的な生理学的検査中に複数のトリガ指示を受信し、かつ該複数のトリガ指示の各々に応答して位置決め画像を該連続的な生理学的検査中に測定された前記生理的測定値に関連付けるように作動可能であることを特徴とする請求項１に記載のシステム。
【請求項１２】
前記位置決め画像は、複数の画像を含む前記外部カメラによって取り込まれた画像シーケンスから選択されることを特徴とする請求項１に記載のシステム。
【請求項１３】
（ａ）前記携帯測定システムによって収集されて経時的な該携帯測定システムの移動を示すナビゲーションデータを取得し、（ｂ）該ナビゲーションデータと第１の時点で前記外部カメラによって取り込まれた画像データとを処理して該携帯測定システムが該外部カメラから隠れている第２の時点での該携帯測定の査定場所を決定し、かつ（ｃ）該外部カメラによって取り込まれた画像に基づいて該査定場所がその上に示された推定方位画像を発生させるように作動可能な画像処理モジュールを更に含み、
前記同期モジュールは、前記第２の時点で取得された前記生理的測定値を前記推定方位画像に関連付けるように作動可能であり、
前記通信モジュールは、（ａ）前記第２の時点で取得された前記生理的測定値に基づく第２の生理的測定記録と、（ｂ）前記推定方位画像と、（ｃ）該推定方位画像と該第２の生理的測定記録とを関連付ける関連付けデータとを前記遠隔システムに送信するように作動可能である、
ことを特徴とする請求項１に記載のシステム。
【請求項１４】
前記位置決め画像を処理して前記方位画像を提供するように作動可能である画像処理モジュールを含み、
前記処理は、前記方位画像から識別可能な視覚情報を除去するために該方位画像を匿名化する段階を含む、
ことを特徴とする請求項１に記載のシステム。
【請求項１５】
前記外部カメラによって取得された少なくとも１つの画像を処理して予め決められた場所に対する該少なくとも１つの画像内の前記携帯測定システムの場所が近位度判断基準を満たすか否かを決定するように作動可能である画像処理モジュールと、該場所が該近接度判断基準を満たす条件時に、該携帯測定システムによって測定された前記生理的測定値の収集を選択的にトリガするように作動可能なプロセッサとを含むことを特徴とする請求項１に記載のシステム。
【請求項１６】
前記位置決め画像を処理して該位置決め画像内の前記携帯位置決めシステムの場所を識別するように作動可能な画像処理モジュールを更に含み、
前記通信モジュールは、前記位置決め画像内の前記携帯位置決めシステムの前記場所を示す情報を前記遠隔システムに送信するように作動可能である、
ことを特徴とする請求項１に記載のシステム。
【請求項１７】
携帯測定システムによって患者の身体に対して前記携帯測定システムの異なる位置で取得された複数の生理的測定値の複数の生理的測定記録、
各々が前記患者の前記身体に対する携帯測定システムの場所を示す、前記携帯測定システムの外部にあり、前記携帯測定システムと無関係に移動可能である外部カメラによって取得された複数の可視光方位画像、及び
各方位画像を前記複数の生理的測定記録からの対応する生理的測定記録に関連付ける関連付けデータ、
を受信するように作動可能な通信モジュールと、
前記関連付けデータを処理し、かつ該処理の結果に基づいて（ａ）選択生理的測定記録及び（ｂ）少なくとも１つの符合する方位画像を生理的測定データベースから取り出すように作動可能なプロセッサと、
前記少なくとも１つの符合する方位画像を前記選択生理的測定記録の情報を提供すると共に表示するように構成されたユーザインタフェース出力と、
を含むことを特徴とする生理学的モニタシステム。
【請求項１８】
前記生理的測定値は、測定場所の情報をその医学的解釈が必要とする、複数の場所感受性生理的測定値であることを特徴とする請求項１７に記載の生理学的モニタシステム。
【請求項１９】
前記ユーザインタフェース出力は、異なる生理的測定記録に関連付けられた複数の方位画像を表示するように構成され、
生理学的モニタシステムが、前記複数の方位画像からの方位画像を示す選択指示を受信するためのユーザインタフェース入力を更に含み、
前記プロセッサは、前記選択指示に基づいて前記選択生理的測定記録を取り出すように作動可能である、
ことを特徴とする請求項１７に記載の生理学的モニタシステム。
【請求項２０】
前記ユーザインタフェース出力は、複数の生理的測定記録の識別子を表示するように構成され、
生理学的モニタシステムが、前記複数の生理的測定記録からの生理的測定記録を示す選択指示を受信するためのユーザインタフェース入力を更に含み、
前記プロセッサは、前記選択指示に基づいて前記選択生理的測定記録を取り出すように作動可能である、
ことを特徴とする請求項１７に記載の生理学的モニタシステム。
【請求項２１】
前記ユーザインタフェース出力は、前記複数の方位画像を含むビデオを表示するように作動可能であり、
前記プロセッサは、前記生理的測定データベースから前記生理的測定記録を取り出し、かつ前記関連付けデータに基づいて前記異なる生理的測定記録の情報の提供を前記ビデオの前記表示に同期させるように作動可能である、
ことを特徴とする請求項１７に記載の生理学的モニタシステム。
【請求項２２】
前記通信モジュールは、前記生理的測定値を取得する携帯測定システムと該携帯測定システムの外部にあって前記患者の前記身体の画像を取得するカメラとを含む遠隔システムから前記複数の生理的測定記録、前記複数の可視光方位画像、及び前記関連付けデータを受信し、
生理学的モニタシステムが、（ａ）前記カメラによって取得された前記患者の前記身体の基準画像を表示し、かつ（ｂ）該基準画像上の複数のユーザ選式択場所を示すユーザ入力を取得するように構成されたユーザインタフェースを更に含み、
前記通信モジュールは、前記ユーザ選式択場所を示す情報を前記遠隔システムに送信するように作動可能であり、
前記複数の生理的測定値は、前記ユーザ選式択場所に基づいて前記遠隔システムによって決定された異なる位置で取得される、
ことを特徴とする請求項１７に記載の生理学的モニタシステム。
【請求項２３】
患者の生理的パラメータを測定するためのシステムであって、
前記患者の生理的測定値を取得するように作動可能な携帯測定システムと、
前記携帯測定システムの外部にあり、前記携帯測定システムと無関係に移動可能であり、前記患者の身体の可視光画像を取り込むように作動可能な外部カメラと、
前記外部カメラによって取得された少なくとも１つの画像を処理して前記画像内の前記携帯測定システムの場所を決定し、かつ
前記場所が予め決められた検査場所に対する近接度判断基準を満たす条件時に前記携帯測定システムの前記生理的測定の変更を開始する、
ように作動可能なプロセッサと、
を含むことを特徴とするシステム。
【請求項２４】
前記プロセッサは、前記場所が前記近接度判断基準を満たす前記条件時に前記携帯測定システムに前記生理的測定を開始させるように作動可能であることを特徴とする請求項２３に記載のシステム。
【請求項２５】
前記プロセッサは、前記場所が前記近接度判断基準を満たす前記条件時に前記生理的測定のデータの収集の開始を引き起こすように作動可能であることを特徴とする請求項２３に記載のシステム。
【請求項２６】
前記プロセッサは、前記場所が前記近接度判断基準を満たす前記条件時に前記携帯測定システムに生理的測定パラメータを変更させるように作動可能であることを特徴とする請求項２３に記載のシステム。
【請求項２７】
前記プロセッサは、前記場所が前記近接度判断基準を満たす前記条件時にユーザインタフェースに前記携帯測定システムの該場所を修正する命令をユーザに対して提示させるように作動可能であることを特徴とする請求項２３に記載のシステム。
【請求項２８】
患者の生理的パラメータの測定を制御するためのシステムであって、
患者の身体の少なくとも一部を含む基準画像に対して定められた少なくとも１つの検査場所を受信するように作動可能な通信インタフェースと、
前記少なくとも１つの検査場所を処理し、かつ該処理の結果に基づいて携帯測定システムのための位置決めパラメータを決定するように作動可能なプロセッサと、
前記位置決めパラメータに基づいて、前記携帯測定システムによる前記患者の生理的測定の実行を制御するように作動可能なコントローラと、
を含み、
前記基準画像は、前記携帯測定システムに対して外部にあり、前記携帯測定システムと無関係に移動可能である外部カメラによって取得された可視光画像である、
ことを特徴とするシステム。
【請求項２９】
前記少なくとも１つの検査場所は、前記基準画像上に個人によってマーク付けされることを特徴とする請求項２８に記載のシステム。
【請求項３０】
前記コントローラは、前記位置決めパラメータにかつ前記基準画像に基づいて前記生理的測定の前記実行を制御するように作動可能であることを特徴とする請求項２８に記載のシステム。
【請求項３１】
前記プロセッサは、少なくとも１人の個人によって前記基準画像上にマーク付けされた複数の検査場所に基づいて異なる位置決めパラメータを決定するように作動可能であり、
前記コントローラは、前記異なる位置決めパラメータに基づいて前記携帯測定システムによる前記患者の複数の生理的測定の実行を制御し、かつ該異なる位置決めパラメータに基づいて該複数の生理的測定間の休止を制御するように作動可能である、
ことを特徴とする請求項２８に記載のシステム。
【請求項３２】
前記コントローラは、前記位置決めパラメータに基づいて前記生理的測定の開始を制御するように作動可能であることを特徴とする請求項２８に記載のシステム。
【請求項３３】
前記コントローラは、前記位置決めパラメータに基づいて前記生理的測定のデータの収集の開始を制御するように作動可能であることを特徴とする請求項２８に記載のシステム。
【請求項３４】
前記コントローラは、前記携帯測定システムの生理的測定パラメータの変更を制御するように作動可能であることを特徴とする請求項２８に記載のシステム。
【請求項３５】
前記コントローラは、前記携帯測定システムの前記場所を修正するユーザインタフェース命令のユーザへの提示を制御するように作動可能であることを特徴とする請求項２８に記載のシステム。
【請求項３６】
前記プロセッサは、前記位置決めパラメータの前記決定の後に前記外部カメラによって取得されて前記患者の前記身体と前記携帯測定システムとを示す少なくとも１つの可視光画像を処理して該少なくとも１つの画像内の該携帯測定システムの場所を決定するように更に作動可能であり、
前記コントローラは、前記場所が予め決められた検査場所に対する近接度判断基準を満たす条件時に、前記携帯測定システムによる前記患者の生理的測定の新しいフェーズの開始を制御するように作動可能である、
ことを特徴とする請求項２８に記載のシステム。
【請求項３７】
患者の生理的パラメータを測定する方法であって、
携帯測定システムによって前記患者の検査身体場所から取得された生理的測定値に対して該検査身体場所に向けられた、前記携帯測定システムの外部にあり、前記携帯測定システムと無関係に移動可能である外部可視光カメラによって取り込まれて該検査身体場所に隣接する該携帯測定システムの少なくとも一部を含む画像である位置決め画像を関連付ける段階と、
前記生理的測定値に基づく生理的測定記録と、前記位置決め画像に基づくものであり、かつ前記検査身体場所に隣接する前記携帯測定システムの少なくとも一部を含む方位画像と、該方位画像と該生理的測定記録とを関連付ける関連付けデータとを遠隔システムに送信する段階と、
を含むことを特徴とする方法。
【請求項３８】
前記生理的測定値は、測定場所の情報をその医学的解釈が必要とする場所感受性生理的測定値であることを特徴とする請求項３７に記載の方法。
【請求項３９】
前記携帯測定システムによって前記検査身体場所から前記生理的測定値を取得する段階を更に含むことを特徴とする請求項３７に記載の方法。
【請求項４０】
前記生理的測定値は、前記患者の少なくとも一方の肺の音を含むことを特徴とする請求項３７に記載の方法。
【請求項４１】
前記生理的測定値は、前記患者の身体から反射された超音波を含むことを特徴とする請求項３７に記載の方法。
【請求項４２】
前記生理的測定値は、少なくとも１つの血流パラメータを示すことを特徴とする請求項３７に記載の方法。
【請求項４３】
少なくとも１つの予め決められた対話判断基準を満たすユーザ入力に応答して前記携帯測定システムによる前記生理的測定値の前記測定を選択的にトリガする段階を更に含むことを特徴とする請求項３７に記載の方法。
【請求項４４】
ユーザインタフェースを通じて測定のための身体場所を示す位置決め命令を提供する段階を更に含むことを特徴とする請求項３７に記載の方法。
【請求項４５】
前記患者の複数の検査身体場所から生理的測定値を取得する段階と、
前記複数の生理的測定値からの各生理的測定値に前記外部カメラによって取り込まれた対応する位置決め画像を関連付ける段階と、
（ａ）前記複数の測定値からの各生理的測定値に対応する生理的測定記録と、（ｂ）前記位置決め画像に基づく複数の方位画像と、（ｃ）各方位画像と該対応する生理的測定記録とを関連付ける関連付けデータとを前記遠隔システムに送信する段階と、
を含むことを特徴とする請求項３７に記載の方法。
【請求項４６】
前記外部カメラによって取り込まれた複数の画像を含む画像シーケンスから前記位置決め画像を選択する段階を含むことを特徴とする請求項３７に記載の方法。
【請求項４７】
前記携帯測定システムによって収集されて経時的な該携帯測定システムの移動を示すナビゲーションデータを取得する段階と、
前記ナビゲーションデータと第１の時点で前記外部カメラによって取り込まれた画像データとを処理して該携帯測定システムが該外部カメラから隠れている第２の時点での該携帯測定の査定場所を決定する段階と、
前記査定場所がその上に示された前記外部カメラによって取り込まれた画像を前記遠隔システムに送信する段階と、
を含むことを特徴とする請求項３７に記載の方法。
【請求項４８】
前記送信する段階は、前記位置決め画像を処理して前記方位画像を提供する段階によって先行され、
前記処理する段階は、前記方位画像から識別可能な視覚情報を除去するために該方位画像を匿名化する段階を含む、
ことを特徴とする請求項３７に記載の方法。
【請求項４９】
前記外部カメラによって取得された少なくとも１つの画像を処理して、予め決められた場所に対する該少なくとも１つの画像内の前記携帯測定システムの場所が近位度判断基準を満たすか否かを決定する段階と、
前記場所が近接度判断基準を満たす条件時に、前記携帯測定システムによって測定された前記生理的測定値の収集を選択的にトリガする段階と、
を含むことを特徴とする請求項３７に記載の方法。
【請求項５０】
前記位置決め画像を処理して該位置決め画像内の前記携帯位置決めシステムの場所を識別する段階を更に含み、
前記送信する段階は、前記位置決め画像内の前記携帯位置決めシステムの前記場所を示す情報を前記遠隔システムに送信する段階を更に含む、
ことを特徴とする請求項３７に記載の方法。
【請求項５１】
生理学的モニタのためのコンピュータ実装方法であって、
携帯測定システムによって患者の身体に対して前記携帯測定システムの異なる位置で取得された複数の生理的測定値の複数の生理的測定記録、
各々が前記患者の前記身体に対する携帯測定システムの場所を示す、前記携帯測定システムの外部にあり、前記携帯測定システムと無関係に移動可能である外部カメラによって取得された複数の可視光方位画像、及び
各方位画像を前記複数の生理的測定記録からの対応する生理的測定記録に関連付ける関連付けデータ、
を受信する段階と、
前記複数の生理的測定記録、前記複数の方位画像、及び前記関連付けデータを有形メモリ上に格納する段階と、
前記関連付けデータに基づいて、選択生理的測定記録及び少なくとも１つの符合する方位画像を前記有形メモリから取り出す段階と、
前記少なくとも１つの符合する方位画像を前記選択生理的測定記録の情報を提供すると共に表示する段階と、
を含むことを特徴とする方法。
【請求項５２】
異なる生理的測定記録に関連付けられた複数の方位画像を表示する段階と、該複数の方位画像からの少なくとも１つもののユーザによる選択を示す選択指示を受信する段階と、該選択指示に基づいて該選択生理的測定記録を取り出す段階とを含むことを特徴とする請求項５１に記載の方法。
【請求項５３】
複数の生理的測定記録の識別子を表示する段階と、該複数の生理的測定記録からの生理的測定記録のユーザによる選択を示す選択指示を受信する段階と、該選択指示に基づいて該選択生理的測定記録を取り出す段階とを含むことを特徴とする請求項５１に記載の方法。
【請求項５４】
前記複数の方位画像を含むビデオを表示する段階と、前記有形メモリから前記生理的測定記録を取り出す段階と、前記関連付けデータに基づいて該ビデオを表示する該段階に前記異なる生理的測定記録の情報を提供する段階を同期させる段階とを含むことを特徴とする請求項５１に記載の方法。
【請求項５５】
前記受信する段階は、前記生理的測定値を取得する携帯測定システムと、該携帯測定システムに対して外部にあり、前記患者の前記身体の画像を取得するカメラとを含む遠隔システムから前記複数の生理的測定記録、前記複数の可視光方位画像、及び前記関連付けデータを受信する段階を含み、
前記受信する段階は、
前記カメラによって取得された前記患者の前記身体の基準画像をユーザインタフェース上に表示する段階と、
前記基準画像上の複数のユーザ選式択場所を示すユーザ入力を取得する段階と、
前記ユーザ選式択場所を示す情報を前記遠隔システムに送信する段階と、
によって先行され、
前記複数の生理的測定値は、前記ユーザ選式択場所に基づいて前記遠隔システムによって決定された異なる位置で取得される、
ことを特徴とする請求項５１に記載の方法。
【請求項５６】
生理学的モニタのためのコンピュータ実装方法であって、
患者の身体と携帯測定システムとを示す、前記携帯測定システムの外部にあり、前記携帯測定システムと無関係に移動可能である外部カメラによって取得された少なくとも１つの可視光画像を処理して該少なくとも１つの画像内の該携帯測定システムの場所を決定する段階と、
前記場所が、予め決められた検査場所に対する近接度判断基準を満たす条件時に、前記携帯測定システムによる前記患者の生理的測定の新しいフェーズを開始する段階と、
を含むことを特徴とする方法。
【請求項５７】
前記開始する段階は、前記生理的測定を始める段階を含むことを特徴とする請求項５６に記載の方法。
【請求項５８】
前記開始する段階は、前記生理的測定のデータの収集を開始する段階を含むことを特徴とする請求項５６に記載の方法。
【請求項５９】
前記開始する段階は、前記携帯測定システムの生理的測定パラメータを変更する段階を含むことを特徴とする請求項５６に記載の方法。
【請求項６０】
前記開始する段階は、前記携帯測定システムの前記場所を修正するユーザインタフェース命令のユーザへの提示を開始する段階を含むことを特徴とする請求項５６に記載の方法。
【請求項６１】
生理学的モニタのためのコンピュータ実装方法であって、
患者の身体の少なくとも一部を含む基準画像に対して定められた少なくとも１つの検査場所を取得する段階と、
前記少なくとも１つの検査場所に基づいて携帯測定システムのための位置決めパラメータを決定する段階と、
前記位置決めパラメータに基づいて前記携帯測定システムによる前記患者の生理的測定の実行を制御する段階と、
を含み、
前記基準画像は、前記携帯測定システムに対して外部にあり、前記携帯測定システムと無関係に移動可能である外部カメラによって取得された可視光画像である、
ことを特徴とする方法。
【請求項６２】
前記少なくとも１つの検査場所は、前記基準画像上に個人によってマーク付けされることを特徴とする請求項６１に記載の方法。
【請求項６３】
前記制御する段階は、更に前記基準画像に基づいていることを特徴とする請求項６１に記載の方法。
【請求項６４】
前記取得する段階は、少なくとも１人の個人によってマーク付けされた複数の検査場所を取得する段階を含み、
前記決定する段階は、前記異なる検査場所に基づいて異なる位置決めパラメータを決定する段階を含み、
前記制御する段階は、前記携帯測定システムによる前記患者の複数の生理的測定の実行を制御する段階を含み、
方法が、前記異なる位置決めパラメータに基づいて前記複数の生理的測定間の休止を制御する段階を更に含む、
ことを特徴とする請求項６１に記載の方法。
【請求項６５】
前記制御する段階は、前記生理的測定の開始を制御する段階を含むことを特徴とする請求項６１に記載の方法。
【請求項６６】
前記制御する段階は、前記生理的測定のデータの収集を開始する段階を含むことを特徴とする請求項６１に記載の方法。
【請求項６７】
前記制御する段階は、前記携帯測定システムの生理的測定パラメータを変更する段階を含むことを特徴とする請求項６１に記載の方法。
【請求項６８】
前記制御する段階は、前記携帯測定システムの前記場所を修正するユーザインタフェース命令のユーザへの提示を制御する段階を含むことを特徴とする請求項６１に記載の方法。
【請求項６９】
前記制御する段階は、前記決定する段階の後に前記外部カメラによって取得されて前記患者の前記身体と前記携帯測定システムとを示す少なくとも１つの可視光画像を処理し、該少なくとも１つの画像内の該携帯測定システムの場所を決定する段階を含み、
前記制御する段階は、前記場所が、予め決められた検査場所に対する近接度判断基準を満たす条件時に、前記携帯測定システムによる前記患者の生理的測定の新しいフェーズを開始する段階を含む、
ことを特徴とする請求項６１に記載の方法。
【請求項７０】
生理学的モニタのための非一時的コンピュータ可読媒体であって、
プロセッサ上で実行された時に、
携帯測定システムによって患者の身体に対して前記携帯測定システムの異なる位置で取得された複数の生理的測定値の複数の生理的測定記録、
各々が前記患者の前記身体に対する携帯測定システムの場所を示す、前記携帯測定システムの外部にあり、前記携帯測定システムと無関係に移動可能である外部カメラによって取得された複数の可視光方位画像、及び
各方位画像を前記複数の生理的測定記録からの対応する生理的測定記録に関連付ける関連付けデータ、
を取得する段階と、
前記複数の生理的測定記録、前記複数の方位画像、及び前記関連付けデータを有形メモリ上に格納する段階と、
前記関連付けデータに基づいて、前記有形メモリから選択生理的測定記録及び少なくとも１つの符合する方位画像を取り出す段階と、
前記少なくとも１つの符合する方位画像を前記選択生理的測定記録の情報を提供すると共に表示する段階と、
を行うそこに格納された命令、
を含むことを特徴とする媒体。